(57)【要約】【課題】  無線通信システムにおいて、適格なビームを選択する。【解決手段】  無線通信システムでの測定を扱うための方法及び装置が開示される。一実施形態において、その方法では、ＵＥがセルの信号を測定して、ビームフォーミングに関する情報を導出することが含まれる。その方法では、さらに、ＵＥが情報をネットワークノードに提供することが含まれる。その情報は、セルのある数の適格なビームについての測定結果の平均又は合計を少なくとも含み、平均又は合計を導出するための適格なビームの数は、第１の閾値によって制限される。【選択図】  図２０
2018007248.tif 000002
【特許請求の範囲】
【請求項１】
ユーザ機器（ＵＥ）における方法であって、
セルの信号を測定してビームフォーミングに関する情報を導出するステップと、
前記情報をネットワークノードに提供するステップと、を含み、
前記情報は、前記セルのある数の適格なビームについての測定結果の平均又は合計を少なくとも含み、前記平均又は前記合計を導出するための適格なビームの数は、第１の閾値によって制限される、方法。
【請求項２】
前記ビームについての測定結果が第２の閾値よりも良好である場合、前記ビームが適格とされる、請求項１に記載の方法。
【請求項３】
前記第１の閾値は、前記ネットワークノードによって設定される、請求項１に記載の方法。
【請求項４】
前記信号は、同期信号を少なくとも含む、請求項１に記載の方法。
【請求項５】
前記信号は、基準信号を少なくとも含む、請求項１に記載の方法。
【請求項６】
ユーザ機器（ＵＥ）の方法であって、
セルの信号を測定してビーム形成に関連する情報を導出するステップと、
少なくとも前記情報に基づいてキャンプオンするセルを選択又は再選択するかどうかを決定するステップと、を含み、
前記情報は、前記セルのある数の適格なビームについての測定結果の平均又は合計を少なくとも含み、前記平均又は前記合計を導出するための適格なビームの数は、第１の閾値によって制限される、方法。
【請求項７】
前記ビームについての測定結果が第２の閾値より良好である場合、前記ビームが適格とされる、請求項６に記載の方法。
【請求項８】
前記第１の閾値は、ネットワークノードによって設定される、請求項６に記載の方法。
【請求項９】
前記信号は、同期信号を少なくとも含む、請求項６に記載の方法。
【請求項１０】
前記信号は、基準信号を少なくとも含む、請求項６に記載の方法。
【請求項１１】
ユーザ機器（ＵＥ）であって、
制御回路と、
前記制御回路に設けられたプロセッサと、
前記制御回路に設けられ、前記プロセッサに動作可能に結合されたメモリと、を含み、
前記プロセッサは、前記メモリに記憶されたプログラムコードを実行して、
セルの信号を測定してビームフォーミングに関する情報を導出し、
前記情報をネットワークノードに提供し、
前記情報は、前記セルのある数の適格なビームについての測定結果の平均又は合計を少なくとも含み、前記平均又は前記合計を導出するための適格なビームの数は、第１の閾値によって制限される、ＵＥ。
【請求項１２】
前記ビームについての測定結果が第２の閾値より良好である場合、前記ビームが適格とされる、請求項１１に記載のＵＥ。
【請求項１３】
前記第１の閾値は、前記ネットワークノードによって設定される、請求項１１に記載のＵＥ。
【請求項１４】
前記信号は、同期信号を少なくとも含む、請求項１１に記載のＵＥ。
【請求項１５】
前記信号は、基準信号を少なくとも含む、請求項１１に記載のＵＥ。
【請求項１６】
ユーザ機器（ＵＥ）であって、
制御回路と、
前記制御回路に設けられたプロセッサと、
前記制御回路に設けられ、前記プロセッサに動作可能に結合されたメモリと、を含み、
前記プロセッサは、前記メモリに記憶されたプログラムコードを実行して、
セルの信号を測定してビームフォーミングに関する情報を導出し、
少なくとも前記情報に基づいてキャンプオンするセルを選択又は再選択するかどうかを決定し、
前記情報は、前記セルのある数の適格なビームについての測定結果の平均又は合計を少なくとも含み、前記平均又は前記合計を導出するための適格なビームの数は、第１の閾値によって制限される、ＵＥ。
【請求項１７】
前記ビームについての測定結果が第２の閾値より良好である場合、前記ビームは適格とされる、請求項１６に記載のＵＥ。
【請求項１８】
前記第１の閾値は、ネットワークノードによって設定される、請求項１６に記載のＵＥ。
【請求項１９】
前記信号は、同期信号を少なくとも含む、請求項１６に記載のＵＥ。
【請求項２０】
前記信号は、基準信号を少なくとも含む、請求項１６に記載のＵＥ。
【発明の詳細な説明】
【技術分野】
【０００１】
本願は、２０１６年７月１日に出願された、米国仮出願第６２／３５７，６８１号の優先権を主張し、その出願の開示全体はすべて参照により本明細書に援用される。
【０００２】
本開示は、概して、無線通信ネットワークに関連し、より詳細には、無線通信システムでの測定を扱うための方法及び装置に関連する。
【背景技術】
【０００３】
移動通信装置との間で大量のデータを通信する要求が急速に高まるにつれて、従来の移動音声通信ネットワークは、インターネットプロトコル（ＩＰ）データパケットで通信するネットワークに進化している。そのようなＩＰデータパケット通信は、ボイスオーバーＩＰ、マルチメディア、マルチキャスト及びオンデマンド通信サービスを移動通信装置のユーザに提供することができる。
【０００４】
例示的なネットワーク構造は、エボルブドユニバーサル地上無線アクセスネットワーク（Ｅ−ＵＴＲＡＮ）である。Ｅ−ＵＴＲＡＮシステムは、上述したボイスオーバーＩＰ及びマルチメディアサービスを実現するために、高いデータスループットを提供することができる。次世代（例えば、５Ｇ）のための新しい無線技術は、現在、３ＧＰＰ標準化団体によって議論されている。したがって、現行の３ＧＰＰ標準への変更が現在提出されており、３ＧＰＰ標準を発展させて確定するため検討されている。
【発明の概要】
【０００５】
無線通信システムでの測定を扱うための方法及び装置が開示される。一実施形態において、その方法では、ＵＥ（ユーザ機器）がセルの信号を測定して、ビームフォーミングに関する情報を導出することが含まれる。その方法では、さらに、ＵＥが情報をネットワークノードに提供することが含まれる。その情報は、セルのある数の適格なビームについての測定結果の平均又は合計を少なくとも含み、平均又は合計を導出するための適格なビームの数は、第１の閾値によって制限される。
【図面の簡単な説明】
【０００６】
【図１】図１は、例示的な一実施形態による無線通信システムの図を示す。
【０００７】
【図２】図２は、例示的な一実施形態による送信機システム（アクセスネットワークとしても知られている）及び受信機システム（ユーザ機器又はＵＥとしても知られている）のブロック図である。
【０００８】
【図３】図３は、例示的な一実施形態による通信システムの機能ブロック図である。
【０００９】
【図４】図４は、例示的な一実施形態による図３のプログラムコードの機能ブロック図である。
【００１０】
【図５】図５は、例示的な一実施形態による図である。
【００１１】
【図６】図６は、例示的な一実施形態による図である。
【００１２】
【図７】図７は、例示的な一実施形態による図である。
【００１３】
【図８】図８は、例示的な一実施形態による図である。
【００１４】
【図９】図９は、例示的な一実施形態による図である。
【００１５】
【図１０】図１０は、例示的な一実施形態による図である。
【００１６】
【図１１】図１１は、例示的な一実施形態による図である。
【００１７】
【図１２】図１２は、３ＧＰＰ  Ｒ２−１６２２５１の図３のリプロダクションである。
【００１８】
【図１３】図１３は、３ＧＰＰ  Ｒ２−１６２２５１の図４のリプロダクションである。
【００１９】
【図１４】図１４は、３ＧＰＰ  Ｒ１−１６５３６４の図１のリプロダクションである。
【００２０】
【図１５】図１５は、３ＧＰＰ  Ｒ１−１６５３６４の図２のリプロダクションである。
【００２１】
【図１６】図１６は、例示的な一実施形態によるフローチャートである。
【００２２】
【図１７】図１７は、例示的な一実施形態によるフローチャートである。
【００２３】
【図１８】図１８は、例示的な一実施形態によるフローチャートである。
【００２４】
【図１９】図１９は、例示的な一実施形態によるフローチャートである。
【００２５】
【図２０】図２０は、例示的な一実施形態によるフローチャートである。
【００２６】
【図２１】図２１は、例示的な一実施形態によるフローチャートである。
【００２７】
【図２２】図２２は、例示的な一実施形態によるフローチャートである。
【００２８】
【図２３】図２３は、例示的な一実施形態によるフローチャートである。
【発明を実施するための形態】
【００２９】
以下で説明される例示的な無線通信システム及び装置は、ブロードキャストサービスをサポートする無線通信システムを使用する。無線通信システムは、広範に展開されて、音声、データ等のさまざまなタイプの通信を提供する。これらのシステムは、符号分割多元接続（ＣＤＭＡ）、時分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ若しくはＬＴＥ−Ａｄｖａｎｃｅｄ（ロングタームエボリューションアドバンスト）、３ＧＰＰ２  ＵＭＢ（ウルトラモバイルブロードバンド）、ＷｉＭａｘ又は何らかの他の変調技術に基づくことができる。
【００３０】
特に、以下で説明される例示的な無線通信システムは、R2-162366,  「Beam  Forming  Impacts」,  Nokia,  Alcatel-Lucent、R2-163716,  「Discussion  on  terminology  of  beamforming  based  high  frequency  NR」,  Samsung、R2-162709,  「Beam  support  in  NR」,  Intel、R2-162762,  「Active  Mode  Mobility  in  NR:  SINR  drops  in  higher  frequencies」,  Ericsson、R3-160947,  「TR  38.801  V0.1.0,  Study  on  New  Radio  Access  Technology;  Radio  Access  Architecture  and  Interfaces」、R2-164306,  「Summary  of  email  discussion  [93bis#23][NR]  Deployment  scenarios」,  NTT  DOCOMO、3GPP  RAN2#94  meeting  minute、R2-163879,  「RAN2  Impacts  in  HF-NR」,  MediaTeK、R2-162210,  「Beam  level  management  <->  Cell  level  mobility」,  Samsung、R2-163471,  「Cell  concept  in  NR」,  CATT、R2-164270,  「General  considerations  on  LTE-NR  tight  interworking」,  Huawei、R2-162251,  「RAN2  aspects  of  high  frequency  New  RAT」,  Samsung、R1-165364,  「Support  for  Beam  Based  Common  Control  Plane」,  Nokia,  Alcatel-Lucent  Shanghai  Bell、TS  36.300  v13.3.0.  「E-UTRA  and  E-UTRAN;  Overall  description;  Stage  2」、TS  36.331  v13.1.0,  「E-UTRA;  RRC  protocol  specification  (Release  13)」、TS  36.304  v13.1.0,  「E-UTRA;  UE  procedures  in  idle  mode  (Release  13)」及びR2-162226,  「Discussion  on  Beam  Measurement  and  Tracking  for  5G  New  Radio  Interface  in  mmWave  Frequency  Bands」,  Samsungを含め、本明細書では３ＧＰＰと呼ばれる「第３世代パートナーシッププロジェクト」と名付けられたコンソーシアムによって勧められる規格など、１つ又は複数の規格をサポートするように設計されることができる。
【００３１】
図１は、本発明の一実施形態による多元接続ワイヤレス通信システムを図示する。アクセスネットワーク１００（ＡＮ）が複数のアンテナグループを含み、１つのグループは１０４及び１０６を含み、他のグループは１０８及び１１０を含み、並びに追加のグループが１１２及び１１４を含む。図１では、各アンテナグループに対して２つのアンテナのみを示している。しかし、各アンテナグループに対してより多くの又はより少ないアンテナが利用されることができる。アクセス端末１１６（ＡＴ）はアンテナ１１２及び１１４と通信状態にあり、ここでアンテナ１１２及び１１４はフォワードリンク１２０を介してアクセス端末１１６に情報を送信し、リバースリンク１１８を介してアクセス端末１１６から情報を受信する。アクセス端末（ＡＴ）１２２はアンテナ１０６及び１０８と通信状態にあり、ここでアンテナ１０６及び１０８はフォワードリンク１２６を介してアクセス端末（ＡＴ）１２２に情報を送信し、リバースリンク１２４を介してアクセス端末（ＡＴ）１２２から情報を受信する。ＦＤＤシステムでは、通信リンク１１８、１２０、１２４及び１２６は、通信のために異なる周波数を使用することができる。例えば、フォワードリンク１２０は、リバースリンク１１８によって使用される周波数とは異なる周波数を使用することができる。
【００３２】
各アンテナグループ及び／又はそれらのアンテナが通信するように設計される範囲は、アクセスネットワークのセクタと称されることが多い。本実施形態において、各アンテナグループは、アクセスネットワーク１００によってカバーされる範囲のセクタにおいてアクセス端末に通信するように設計される。
【００３３】
フォワードリンク１２０及び１２６を介した通信では、アクセスネットワーク１００の送信アンテナは、異なるアクセス端末１１６及び１２２のためのフォワードリンクの信号対雑音比を改善するために、ビームフォーミング（beamforming）を利用することができる。また、ビームフォーミングを使用してそのカバレッジにわたってランダムに点在するアクセス端末に送信するアクセスネットワークは、単一のアンテナを通してすべてのアクセス端末に送信するアクセスネットワークよりも、隣接セルにおけるアクセス端末への干渉を少なくする。
【００３４】
アクセスネットワーク（ＡＮ）は、端末と通信するために使用される固定局又は基地局とすることができ、アクセスポイント、ＮｏｄｅＢ、基地局、拡張型（enhanced）基地局、エボルブドＮｏｄｅＢ（ｅＮＢ）、又は何らかの他の専門用語で称されることもある。アクセス端末（ＡＴ）は、ユーザ機器（ＵＥ）、ワイヤレス通信装置、端末、アクセス端末又は何らかの他の専門用語で呼ばれることもある。
【００３５】
図２は、ＭＩＭＯシステム２００における送信機システム２１０（アクセスネットワークとしても知られる）及び受信機システム２５０（アクセス端末（ＡＴ）又はユーザ機器（ＵＥ）としても知られる）の実施形態の簡略ブロック図である。送信機システム２１０で、ある数のデータストリームのためのトラフィックデータが、データソース２１２から送信（ＴＸ）データプロセッサ２１４に提供される。
【００３６】
一実施形態では、各データストリームはそれぞれの送信アンテナを介して送信される。ＴＸデータプロセッサ２１４は、各データストリームのためのトラフィックデータを、そのデータストリームのために選択される特定の符号化スキームに基づいてフォーマットし、符号化し、インタリーブして、符号化されたデータを提供する。
【００３７】
各データストリームのために符号化されたデータは、ＯＦＤＭ技術を使用してパイロットデータと多重化されることができる。パイロットデータは、代表的には、既知の方式で処理される既知のデータパターンであり、チャネル応答を推定するために受信機システムで使用されることができる。各データストリームのために多重化されたパイロット及び符号化されたデータは、次いでそのデータストリームのために選択される特定の変調スキーム（例えば、ＢＰＳＫ、ＱＰＳＫ、Ｍ−ＰＳＫ又はＭ−ＱＡＭ）に基づいて変調（即ち、シンボルマッピング）されて、変調シンボルを提供する。各データストリームのためのデータレート、符号化及び変調は、プロセッサ２３０によって行われる命令によって決定されることができる。
【００３８】
すべてのデータストリームのための変調シンボルは、次いでＴＸ  ＭＩＭＯプロセッサ２２０に提供され、それは更に変調シンボルを（例えば、ＯＦＤＭのために）処理することができる。ＴＸ  ＭＩＭＯプロセッサ２２０は、次いでＮＴ個の送信機（ＴＭＴＲ）２２２ａ〜２２２ｔにＮＴ個の変調シンボルストリームを提供する。特定の実施形態では、ＴＸ  ＭＩＭＯプロセッサ２２０は、データストリームのシンボル及びシンボルが送信されているアンテナにビームフォーミング重みを適用する。
【００３９】
各送信機２２２は、それぞれのシンボルストリームを受信し、処理して、１つ以上のアナログ信号を提供し、さらに、アナログ信号を調整して（例えば、増幅、フィルタリング、及びアップコンバート）、ＭＩＭＯチャネルを介した送信に適する変調信号を提供する。送信機２２２ａ〜２２２ｔからのＮＴ個の変調信号は、次いで、それぞれＮＴ個のアンテナ２２４ａ〜２２４ｔから送信される。
【００４０】
受信機システム２５０で、送信された変調信号はＮＲ個のアンテナ２５２ａ〜２５２ｒによって受信され、各アンテナ２５２から受信された信号はそれぞれ受信機（ＲＣＶＲ）２５４ａ〜２５４ｒに提供される。各受信機２５４は、それぞれの受信信号を調整して（例えば、フィルタリング、増幅、及びダウンコンバート）、調整された信号をデジタル化してサンプルを提供し、更にサンプルを処理して、対応する「受信」シンボルストリームを提供する。
【００４１】
ＲＸデータプロセッサ２６０が、次いで特定の受信機処理技術に基づいて、ＮＲ個の受信機２５４からのＮＲ個の受信シンボルストリームを受信し、処理して、ＮＴ個の「検出」シンボルストリームを提供する。ＲＸデータプロセッサ２６０は、次いで各検出シンボルストリームを復調し、デインタリーブ（deinterleave）し、復号して、データストリームのためのトラフィックデータを復元する。ＲＸデータプロセッサ２６０による処理は、送信機システム２１０でＴＸ  ＭＩＭＯプロセッサ２２０及びＴＸデータプロセッサ２１４によって行われる処理と相補的である。
【００４２】
プロセッサ２７０は、どのプリコーディング行列を使用するべきかを周期的に決定する（下記で論じる）。プロセッサ２７０は、行列インデックス部分及びランク値部分を含むリバースリンクメッセージ（reverse  link  message）を編成する。
【００４３】
リバースリンクメッセージは、通信リンク及び／又は受信データストリームに関するさまざまなタイプの情報を含むことができる。リバースリンクメッセージは、次いでデータソース２３６からある数のデータストリームのためのトラフィックデータも受信するＴＸデータプロセッサ２３８によって処理され、変調器２８０によって変調され、送信機２５４ａ〜２５４ｒによって調整され、送信機システム２１０に返信される。
【００４４】
送信機システム２１０で、受信機システム２５０からの変調信号は、アンテナ２２４によって受信され、受信機２２２によって調整され、復調器２４０によって復調され、ＲＸデータプロセッサ２４２によって処理されて、受信機システム２５０によって送信されたリバースリンクメッセージを抽出する。プロセッサ２３０は、次いでビームフォーミング重みを決定するためにどのプリコーディング行列を使用するべきかを決定して、次いで抽出されたメッセージを処理する。
【００４５】
図３を参照すると、この図は、本発明の一実施形態による通信装置の代替の簡略機能ブロック図を示す。図３に示すように、ワイヤレス通信システムにおける通信装置３００は、図１のＵＥ（若しくはＡＴ）１１６及び１２２又は図１の基地局（若しくはＡＮ）１００を実現するために利用されることができ、ワイヤレス通信システムは好ましくはＬＴＥシステムである。通信装置３００は、入力装置３０２、出力装置３０４、制御回路３０６、中央処理装置（ＣＰＵ）３０８、メモリ３１０、プログラムコード３１２、及び送受信機３１４を含むことができる。制御回路３０６は、ＣＰＵ３０８を通してメモリ３１０内のプログラムコード３１２を実行して、それによって通信装置３００の動作を制御する。通信装置３００は、キーボード、キーパッド等の入力装置３０２を通してユーザによって入力される信号を受信することができ、モニタ、スピーカ等の出力装置３０４を通して画像及び音を出力することができる。送受信機３１４は、無線信号を受信及び送信するために使用され、受信された信号を制御回路３０６に供給したり、制御回路３０６によって生成された信号を無線で出力する。無線通信システムにおける通信装置３００は、図１のＡＮ１００を実現するために利用されることもできる。
【００４６】
図４は、本発明の一実施形態による図３に示したプログラムコード３１２の簡略ブロック図である。本実施形態では、プログラムコード３１２は、アプリケーションレイヤ４００、レイヤ３部分４０２、及びレイヤ２部分４０４を含み、レイヤ１部分４０６に結合される。レイヤ３部分４０２は、概して、無線リソース制御を行う。レイヤ２部分４０４は、概して、リンク制御を行う。レイヤ１部分４０６は、概して、物理的接続を行う。
【００４７】
次世代（例えば、５Ｇ）アクセス技術に関する３ＧＰＰ  標準化活動が２０１５年３月から立ち上げられている。一般的に、次世代アクセス技術は、緊急の市場ニーズ及びＩＴＵ−Ｒ  ＩＭＴ−２０２０で規定されているより長期の要件を満たすために、次の３つの使用シナリオのファミリをサポートすることを目指している。
−  ｅＭＢＢ（拡張モバイルブロードバンド：enhanced  Mobile  Broadband）
−  ｍＭＴＣ（大量マシンタイプ通信：massive  Machine  Type  Communications）
−  ＵＲＬＬＣ（超高信頼低遅延通信：Ultra-Reliable  and  Low  Latency  Communications）
【００４８】
新しい無線アクセス技術に関する５Ｇ研究課題の目的は、少なくとも１００ＧＨｚにまで及ぶ任意のスペクトルバンドを使用可能とすべき新しい無線システムに必要な技術コンポーネントを特定し開発することである。１００ＧＨｚまでのキャリア周波数をサポートすることにより、無線伝搬の領域で多くの課題が生じる。キャリア周波数が増加すると、経路損失も増加するのである。
【００４９】
３ＧＰＰ  Ｒ２−１６２３６６に基づくと、より低い周波数バンド（例えば、現在のＬＴＥバンド＜６ＧＨｚ）では、ダウンリンク共通チャネルを送信するためのワイドセクタビームを形成することによって、必要なセルカバレッジが提供されることができる。しかし、より高い周波数（＞  ６ＧＨｚ）でワイドセクタビームを利用すると、同じアンテナ利得ではセルカバレッジが低減される。したがって、より高い周波数バンドで必要なセルカバレッジを提供するためには、増大した経路損失を補償するために、より高いアンテナ利得が必要とされる。広いセクタビームにわたってアンテナ利得を増加させるために、より多いアンテナアレイ（数十から数百までのアンテナ素子の数）が使用されて高利得ビームを形成する。
【００５０】
結果として、高利得ビームは、必要なセル領域をカバーするためにダウンリンク共通チャネルを送信するために複数のビームが必要となるように、広いセクタビームに比べて狭い。アクセスポイントが形成することができる同時高利得ビームの数は、利用されるトランシーバのアーキテクチャのコスト及び複雑さによって制限され得る。実際には、より高い周波数では、同時高利得ビームの数は、セル領域をカバーするのに必要なビームの総数よりもはるかに少ない。言い換えると、アクセスポイントは、任意の所与の時点でビームのサブセットを使用してセル領域の一部のみをカバーすることができる。
【００５１】
３ＧＰＰ  Ｒ２−１６３７１６に基づくと、ビーム形成は、一般に、指向性信号の送受信のためにアンテナアレイで使用される信号処理技術である。ビームフォーミングを用いると、特定の角度の信号が強め合う干渉を経験する一方で、他の信号が弱め合う干渉を経験するように、アンテナのフェーズドアレイ（phased  array）内の素子を組み合わせることによって、ビームは形成されることができる。複数のアンテナアレイを用いて、異なるビームが同時に利用されることができる。
【００５２】
３ＧＰＰ  Ｒ２−１６２７０９に基づくと、図５に示すように、エボルブドＮｏｄｅＢ（ｅＮＢ）は、集中型又は分散型いずれか一方の複数のＴＲＰ（送信／受信ポイント）を有することができる。各ＴＲＰは、複数のビームを形成することができる。ビームの数及び時間／周波数領域における同時ビームの数は、アンテナアレイ素子の数及びＴＲＰにおけるＲＦに依存する。
【００５３】
ＮＲための潜在的なモビリティタイプを列挙することができる。
・ＴＲＰ内（Intra-TRP）モビリティ
・ＴＲＰ間（Inter-TRP）モビリティ
・ＮＲ  ｅＮＢ間（Inter-NR  eNB）モビリティ
【００５４】
３ＧＰＰ  Ｒ２−１６２７６２に基づくと、カバレッジは時間及び空間の両方の変動に対してより敏感であり得るため、ビームフォーミングに純粋に依存し、より高い周波数で動作するシステムの信頼性は挑戦的なものとなるかもしれない。結果として、狭いリンクのＳＩＮＲ（信号対干渉雑音比）は、ＬＴＥの場合よりもはるかに急速に低下する可能性がある。
【００５５】
アクセスノードで数百の数の素子を備えたアンテナアレイを使用すると、ノード当たり数十又は数百の候補ビームを備えたかなり規則的なグリッドオブビーム（grid-of-beam）カバレッジパターンが作成されることができる。そのようなアレイからの個々のビームのカバレッジエリアは、場合によっては、数十メートルのオーダーの幅で小さい可能性がある。結果として、ＬＴＥによって提供されるように、現在のサービス提供ビーム領域外のチャネル品質劣化は、広域適用範囲の場合よりも急速である。
【００５６】
３ＧＰＰ  ＴＳ  ３６．３３１によれば、ＵＥからネットワークへ提供される測定報告は、そのサービングセル及び隣接セルに関するＵＥの測定結果を含むことができる。
【表１】
2018007248.tif 000003
【表２】
2018007248.tif 000004
【表３】
2018007248.tif 000005
【００５７】
ＬＴＥの場合、セル選択及びセル再選択は３ＧＰＰ  ＴＳ  ３６．３０４において次のように特定されている。
セルにキャンプオン：ＵＥがセル選択／再選択プロセスを完了し、セルを選択している。ＵＥは、システム情報及び（ほとんどの場合）ページング情報を監視する。
サービングセル：ＵＥがキャンプオンされるセル。
適切セル：これは、ＵＥがキャンプオンセルし得るセルである。Ｅ−ＵＴＲＡセルの場合、基準は４．３節で定義され、ＵＴＲＡセルの場合、基準は［８］で定義され、ＧＳＭ（登録商標）セルの場合、基準は［９］で定義される。
適切セル：
「適切セル」は、ＵＥがキャンプオンして、通常のサービスを得ることができるセルである。ＵＥは有効なＵＳＩＭを有し、そのようなセルは以下の要件をすべて満たさなければならない。
−  セルは次のいずれかの一部
−  選択されたＰＬＭＮ、若しくは
−  登録されたＰＬＭＮ、又は
−  同等のＰＬＭＮリストのＰＬＭＮ
−  ＣＳＧセルの場合、セルはＵＥのためのＣＳＧメンバセルである。
ＮＡＳにより提供される最新情報によれば、
−  セルは禁止されていない（５．３．１を参照）。
−  セルは、上記の第１の箇条を満たすＰＬＭＮに属する、「ローミングのための禁止追跡エリア」［４］のリストの一部ではない少なくとも１つのＴＡの一部である。
−  セル選択基準が満たされている（５．２．３．２節参照）。
複数のＰＬＭＮアイデンティティがセル内でブロードキャストされる場合、セルは、セル内のＰＬＭＮアイデンティティ及びＴＡＣブロードキャストから構築されるＴＡＩを備えたすべてのＴＡの一部とみなされる。
[...]
５．２．１  はじめに
ＵＥは、［１０］で指定されるセル選択及び再選択の目的のための測定を実行しなければならない。
ＮＡＳは、選択されたＰＬＭＮに関連するＲＡＴを示すこと、禁止登録エリアのリスト及び同等のＰＬＭＮのリストを維持することによって、セル選択が実行されるべきＲＡＴを制御することができる。  ＵＥは、アイドルモード測定値及びセル選択基準に基づいて適切セルを選択しなければならない。
セル選択プロセスを高速化するために、いくつかのＲＡＴのために記憶された情報がＵＥにおいて利用可能であり得る。
セルにキャンプオンされている場合、ＵＥは、セル再選択基準に従って、より良好なセルを定期的に検索しなければならない。より良好なセルが見つかる場合、そのセルが選択される。セルの変化は、ＲＡＴの変化を意味することができる。セル再選択のための性能要件の詳細は、［１０］で分かる。
ＮＡＳは、セルの選択及び再選択がＮＡＳに関連する受信されたシステム情報に変化をもたらすかどうかを知らされる。
通常のサービスの場合、ＵＥは適切なセルにキャンプオンし、そのセルの制御チャネルに同調して（tune）、それによりＵＥは以下のことができる。
−  ＰＬＭＮからシステム情報を受信し
−  ＰＬＭＮから登録エリア情報、例えば、追跡エリア情報を受信し
−  他のＡＳ及びＮＡＳ情報を受信する、
−  登録されている場合：
−  ＰＬＭＮからページング及び通知メッセージを受信し、
−  接続モードへの移行を開始する、
[...]
５．２．３．２  セル選択基準
通常のカバレッジにおけるセル選択基準Ｓは、以下の場合に満たされる。
Srxlev  ＞  ０かつSqual  ＞  ０
ここで、
Srxlev  =  Qrxlevmeas  −  (Qrxlevmin  +  Qrxlevminoffset)  −  Pcompensation  −  Qoffsettemp
Squal  =  Qqualmeas  −  (Qqualmin  +  Qqualminoffset)  −  Qoffsettemp
ここで、
【表４】
2018007248.tif 000006
［...］
５．２．４．１  再選択の優先順位の処理
異なるＥ−ＵＴＲＡＮ周波数又はＲＡＴ間周波数の絶対優先度は、システム情報において、RRCConnectionReleaseメッセージにおいて、又はＲＡＴ間セル（再）選択のときに別のＲＡＴから継承することで、ＵＥに提供されることができる。システム情報の場合、Ｅ−ＵＴＲＡＮ周波数又はＲＡＴ間周波数が、優先順位を与えずに列挙されることができる（すなわち、その周波数に対してfield  cellReselectionPriorityが存在しない）。専用シグナリングで優先順位が提供されている場合、ＵＥはシステム情報に提供されているすべての優先順位を無視するものとする。ＵＥが任意のセルにキャンプオンしている状態である場合、ＵＥは現在のセルからのシステム情報によって提供される優先順位のみを適用するものとし、ＵＥは特に指定されない限り、専用シグナリング及びRRCConnectionRejectで受信されたdeprioritisationReqによって提供される優先順位を保持する。ＵＥが通常の状態にキャンプしていて、現在の周波数以外の専用優先度しか有していない場合、ＵＥは現在の周波数を最低優先度周波数（すなわち、ネットワーク設定値のいずれかよりも低い）とみなすものとする。
［...］
5.2.4.6  周波数内及び同等優先度の周波数間セル再選択基準
サービングセルのためのセルランク付け基準Rs及び隣接セルのためのRnは以下によって定義される。
Rs  =  Qmeas,s  +  QHyst  -  Qoffsettemp
Rn  =  Qmeas,n  −  Qoffset  -  Qoffsettemp
ここで、
【表５】
2018007248.tif 000007
ＵＥは、５．２．３．２で定義されているセル選択基準Ｓを満たす、すべてのセルのランク付けを実行するが、ＵＥがＣＳＧメンバセルではないことが分かっているすべてのＣＳＧセルを除外することができる。
Qmeas,n及びQmeas,sを導出し、平均ＲＳＲＰ結果を使用してＲ値を計算して、セルは上記で指定されたＲ基準に従ってランク付けされるものとする。
セルが最良のセルとしてランク付けされている場合、ＵＥはそのセルに対してセル再選択を実行しなければならない。このセルが不適切であることが分かった場合、ＵＥは５．２．４．４節に従って行動するものとする。
すべての場合において、以下の条件が満たされている場合に限り、UEは新しいセルを再選択するものとする。
−  新しいセルが時間間隔TreselectionRATの間、サービングセルよりも良好にランク付けされている。
−  UEが現在のサービングセルにキャンプオンしてから1秒以上が経過している。
5.2.4.7  システム情報ブロードキャストにおけるセル再選択パラメータ
セル再選択パラメータは、システム情報内でブロードキャストされ、次のようにサービングセルから読み取られる。
cellReselectionPriority
これは、Ｅ−ＵＴＲＡＮ周波数若しくはＵＴＲＡＮ周波数若しくはＧＥＲＡＮ周波数のグループ又はＣＤＭＡ２０００  ＨＲＰＤのバンドクラス若しくはＣＤＭＡ２０００  １ｘＲＴＴのバンドクラスについての絶対優先度を指定する。
cellReselectionSubPriority
これは、Ｅ−ＵＴＲＡＮ周波数に対してcellReselectionPriorityに追加される分数（fractional）優先度値を指定する。
Qoffsets,n
これは、２つのセル間のオフセットを指定する。
Qoffsetfrequency
等しい優先度のＥ−ＵＴＲＡＮ周波数に対する周波数固有のオフセット。
Qoffsettemp
これは、セルの選択と再選択のために使用される追加のオフセットを指定します。RRC  Connection  Establishmentが[3]で指定されるセルで失敗した場合に一時的に使用される。
Qhyst
ランキング基準のためのヒステリシス値を指定する。
Qqualmin
これは、セル内の最低必要品質レベルをｄＢ単位で指定する。
Qrxlevmin
これは、セル内の最低必要RxレベルをｄＢｍ単位で指定する。
RedistributionFactorFreq
これは、隣接Ｅ−ＵＴＲＡＮ周波数に対する再分配係数（redistribution  factor）を指定する。
RedistributionFactorCell
これは、隣接Ｅ−ＵＴＲＡＮセルに対する再分配係数を指定する。
RedistributionFactorServing
これは、サービングセル又はサービング周波数に対する再分配係数を指定する。
TreselectionRAT
これは、セル再選択タイマ値を指定する。各目標Ｅ−ＵＴＲＡ周波数及び各ＲＡＴ（Ｅ−ＵＴＲＡ以外）に対して、Ｅ−ＵＴＲＡＮ内又は他のＲＡＴに向けた再選択を評価するときに、適用可能なセル再選択タイマのための特定の値が定義される（すなわち、TreselectionRATは、Ｅ−ＵＴＲＡＮの場合TreselectionEUTRAであり、ＵＴＲＡＮの場合TreselectionUTRAであり、ＧＥＲＡＮの場合TreselectionGERAであり、ＣＤＭＡ２０００  ＨＲＰＤの場合TreselectionCDMA_HRPDであり、ＣＤＭＡ２０００  １ｘＲＴＴの場合TreselectionCDMA_1xRTT）である。
・  注：TreselectionRATはシステム情報では送信されないが、各ＲＡＴに対してＵＥによる再選択ルールで使用される。
TreselectionEUTRA_CE
これは、同じ優先度セルの間の拡張されたカバレッジにおけるＥ−ＵＴＲＡＮ  ＵＥのためのセル再選択タイマ値TreselectionRATを指定する。パラメータは、Ｅ−ＵＴＲＡＮ周波数ごとに設定されることができる。
TreselectionEUTRA
これは、Ｅ−ＵＴＲＡＮに対するセル再選択タイマ値TreselectionRATを指定する。パラメータは、Ｅ−ＵＴＲＡＮ周波数[3]ごとに設定されることができる。
TreselectionUTRA
これは、ＵＴＲＡＮに対するセル再選択タイマ値TreselectionRATを指定する。
TreselectionGERA
これは、ＧＥＲＡＮに対するセル再選択タイマ値TreselectionRATを指定する。
TreselectionCDMA_HRPD
これは、ＣＤＭＡ  ＨＲＰＤに対するセル再選択タイマ値TreselectionRATを指定する。
TreselectionCDMA_1xRTT
これは、ＣＤＭＡ  １ｘＲＴＴに対するセル再選択タイマ値TreselectionRATを指定する。
ThreshX,HighP
これは、現在のサービング周波数よりも高い優先度のＲＡＴ／周波数に向けて再選択するときにＵＥによって使用されるSrxlev閾値（ｄＢ単位）を指定する。Ｅ−ＵＴＲＡＮ及びＵＴＲＡＮの各周波数、ＧＥＲＡＮ周波数の各グループ、ＣＤＭＡ２０００  ＨＲＰＤ及びＣＤＭＡ２０００  １ｘＲＴＴの各バンドクラスは、特定の閾値を有することができる。
ThreshX,HighQ
これは、現在のサービング周波数よりも高い優先度のＲＡＴ／周波数に向けて再選択するときにＵＥによって使用されるSqual閾値（ｄＢ単位）を指定する。Ｅ−ＵＴＲＡＮ及びＵＴＲＡＮ  ＦＤＤの各周波数は、特定の閾値を有することができる。
ThreshX,LowP
これは、現在のサービング周波数よりも低い優先度のＲＡＴ／周波数に向けて再選択するときにＵＥによって使用されるSrxlev閾値（ｄＢ単位）を指定する。Ｅ−ＵＴＲＡＮ及びＵＴＲＡＮの各周波数、ＧＥＲＡＮ周波数の各グループ、ＣＤＭＡ２０００  ＨＲＰＤ及びＣＤＭＡ２０００  １ｘＲＴＴの各バンドクラスは、特定の閾値を有することができる。
ThreshX,LowQ
これは、現在のサービング周波数よりも低い優先度のＲＡＴ／周波数に向けて再選択するときにＵＥによって使用されるSqual閾値（ｄＢ単位）を指定する。Ｅ−ＵＴＲＡＮ及びＵＴＲＡＮ  ＦＤＤの各周波数は、特定の閾値を有することができる。
ThreshServing,LowP
これは、より低い優先順位のＲＡＴ／周波数に向けて再選択するとき、サービングセル上のＵＥによって使用されるSrxlev閾値（ｄＢ単位）を指定する。
ThreshServing,LowQ
これは、より低い優先順位のＲＡＴ／周波数に向けて再選択するとき、サービングセル上でＵＥによって使用されるSqual閾値（ｄＢ単位）を指定する。
SIntraSearchP
これは、周波数内測定のSrxlev閾値（ｄＢ単位）を指定する。
SIntraSearchQ
これは、周波数内測定のSqual閾値（ｄＢ単位）を指定する。
SnonIntraSearchP
これは、Ｅ−ＵＴＲＡＮ周波数間及びＲＡＴ間測定のSrxlev閾値（ｄＢ単位）を指定する。
SnonIntraSearchQ
これは、Ｅ−ＵＴＲＡＮの周波数間及びＲＡＴ間の測定のSqual閾値（ｄＢ単位）を指定する。
【００５８】
３ＧＰＰ  Ｒ３−１６０９４７に基づいて、図６及び図７に示すシナリオが、ＮＲ（New  Radio  Access  Technology）無線ネットワークアーキテクチャによるサポートのために考慮されるべきである。図６は、スタンドアロン、ＬＴＥとの共存（co-sited）及び集中型ベースバンドのシナリオを概略的に示す。図７は、一般に、低性能トランスポート及び共有ＲＡＮ（無線アクセスネットワーク）を用いて集中化されたシナリオを示す。
【００５９】
３ＧＰＰ  Ｒ２−１６４３０６に基づいて、スタンドアロンＮＲのためのセルレイアウトに関する以下のシナリオが捕捉されて検討される。
・  マクロセルのみの展開
・  異種展開
・  小規模セルのみの展開
【００６０】
３ＧＰＰ  ＲＡＮ２＃９４会議議事録に基づいて、１つのＮＲ  ｅＮＢは、１つ又は複数のＴＲＰに対応する。２つのレベルのネットワーク制御モビリティは、次のとおりである。
・  「セル」レベルで駆動されるＲＲＣ
・  ゼロ／最小ＲＲＣ関与（例えば、ＭＡＣ／ＰＨＹでの）
【００６１】
３ＧＰＰ  Ｒ２−１６２２１０に基づいて、以下の２レベルモビリティ処理の原理が、おそらく５Ｇにおいて維持され得る。
Ａ）  セルレベルのモビリティ
ａ．  ＩＤＬＥでのセル選択／再選択、ＣＯＮＮでのハンドオーバ
ｂ．  ＣＯＮＮ状態でＲＲＣによって処理される
Ｂ）  ビームレベル管理
ａ．  Ｌ１は、ＵＥのために使用するＴＲＰ及び最適なビーム方向の適切な選択を処理する
【００６２】
５Ｇシステムは、通常のハンドオーバに基づくＵＥモビリティに加えて、「ビームベースのモビリティ」により依存して、ＵＥモビリティを処理することが期待されている。ＭＩＭＯ（多入力多出力）、正弦波、Ｃ−ＲＡＮ（クラウドＲＡＮ：Cloud  RAN）、ＮＦＶ（ネットワーク機能仮想化：Network  Function  Virtualization）等のテクノロジにより、１つの「５Ｇ  Ｎｏｄｅ」によって制御されるカバレッジエリアが拡大し、それゆえ、ビームレベル管理の可能性が高まり、セルレベルのモビリティの必要性を低減する。１つの５Ｇ  Ｎｏｄｅのカバレッジエリア内のすべてのモビリティは、理論的にはビームレベル管理に基づいて処理されることができ、ハンドオーバは別の５Ｇ  Ｎｏｄｅのカバレッジエリアへの移動にのみ使用される。
【００６３】
図８〜図１１は、５Ｇ  ＮＲにおけるセルの概念のいくつかの例を示す。図８は、一般的に、単一のＴＲＰのセルを用いた展開を示す。図９は、一般的に、複数のＴＲＰのセルを用いた展開を示す。図１０は、一般的に、複数のＴＲＰを備えた５Ｇ  Ｎｏｄｅを含む１つの５Ｇセルを示す。図１１は、一般に、ＬＴＥセルとＮＲセルとの比較を示す。
【００６４】
ＲＲＭ（無線リソース管理）測定に基づくハンドオーバの他に、５Ｇ  ＵＥは、ビーム品質変動又はＵＥセル内モビリティの対象となる５Ｇ接続性を維持するためにサービングビームを適合させることが可能であるべきである。これを行うために、５Ｇ  Ｎｏｄｅ−Ｂ及びＵＥは、サービングビームを適切に追跡及び変化することが可能であるべきである（以下、ビーム追跡と呼ぶ）。
【００６５】
専門用語及び仮定−以下、次の専門用語及び仮定が使用されることができる。
・ＢＳ：１つ以上のセルに関連する１つ以上のＴＲＰを制御するために使用されるＮＲにおけるネットワーク中央ユニットである。ＢＳとＴＲＰ（ｓ）との間の通信はフロントホール（fronthaul）を介したものである。ＢＳは、中央ユニット（ＣＵ）、ｅＮＢ又はＮｏｄｅＢとも称され得る。
・ＴＲＰ：ネットワークカバレッジ及びＵＥと直接通信を提供する送受信ポイントである。ＴＲＰはまた、分散ユニット（ＤＵ）とも称され得る。
・セル（Ｃｅｌｌ）：セルは、１つ以上の関連するＴＲＰによって構成される。言い換えると、セルのカバレッジは、関連するすべてのＴＲＰのカバレッジによって構成される。１つのセルは１つのＢＳによって制御される。セルは、ＴＲＰグループ（ＴＲＰＧ）とも称され得る。
・ビーム掃引：送信及び／又は受信のすべての可能な方向をカバーするために、ある数のビームが必要とされる。すべてのこれらのビームを同時に発生させることは不可能であるため、ビーム掃引手段が、１つの時間間隔において、これらのビームのサブセットを生成し、他の時間間隔において、生成されたビームを変化させる、すなわち、時間領域でビームを変化させる。このように、すべての可能な方向は、複数の時間間隔の後にカバーされることができる。
・ビーム掃引数：これは、送信及び／又は受信のために一度可能なすべての方向にビームを掃引するのに必要な時間間隔の数である。言い換えれば、ビーム掃引を適用するシグナリングは、１つの時間周期内で「ビーム掃引数」の回数で送信される。例えば、シグナリングが時間周期の異なる時間で（少なくとも部分的に）異なるビームで送信される。
【００６６】
ネットワーク側：
・  ビームフォーミングを使用するＮＲはスタンドアロンであることができる。つまり、ＵＥはＮＲに直接キャンプオン又は接続することができる。
■  ビームフォーミングを使用するＮＲ及びビームフォーミングを使用しないＮＲは、例えば、異なるセルで共存することができる。
・  ＴＲＰは、可能であり、有益である場合に、データ及び制御シグナリングの送信及び受信の両方にビームフォーミングを適用する。
■  ＴＲＰによって同時に生成されるビームの数は、ＴＲＰの能力に依存する。例えば、同じセルにおける異なるＴＲＰによって同時に生成されるビームの最大数は、同じとすることができ、異なるセルにおけるものは異なっていることができる。
■  ビーム掃引は、例えば、制御シグナリングがすべての方向に提供されるために必要である。
・  同じセルにおけるＴＲＰのダウンリンクタイミングは同期化される。
・  ネットワーク側のＲＲＣレイヤはＢＳ内にある。
・  ＴＲＰは、例えば、異なるＵＥ能力又はＵＥリリースによるため、ＵＥビームフォーミングを備えたＵＥとＵＥビームフォーミングを備えていないＵＥとの両方をサポートすべきである。
【００６７】
ＵＥ側：
・ＵＥは、可能であり、有益である場合に、受信及び／又は送信のためのビームフォーミングを実行することができる。
■  ＵＥによって同時に生成されるビームの数は、ＵＥの能力に依存する。例えば、複数のビームを生成することが可能である。
■  ＵＥによって生成されるビームは、ｅＮＢによって生成されるビームよりも広い。
■  送信及び／又は受信のためのビーム掃引は、一般に、ユーザデータには必要ではないが、他のシグナリング、例えば、測定を行うのに必要であり得る。
■  すべてのＵＥがＵＥビームフォーミングをサポートしているわけではない。例えば、ＵＥの能力ＵＥのビームフォーミングにより、ＮＲの最初の（２、３の）リリースではサポートされていない。
・  １つのＵＥは、同じセルの１つ以上のＴＲＰからの複数のビームによってサービスを受けることができる。
■  同じ又は異なるＤＬデータは、ダイバーシティ（diversity）又はスループットの利得のために、異なるサービングビームを介して同じ無線リソース上で送信されることができる。
・  少なくとも２つのＵＥ（ＲＲＣ）状態がある。接続状態（又はアクティブ状態と呼ばれる）及び非接続状態（又は、非アクティブ状態若しくはアイドル状態と呼ばれる）。
【００６８】
ＵＥビームフォーミング  −  ３ＧＰＰ  Ｒ２−１６２２５１に基づいて、ｅＮＢ及びＵＥ側の両方でビームフォーミングを使用するために、実際には、ｅＮＢにおけるビームフォーミングによるアンテナ利得は約１５〜３０ｄＢｉと考えられ、ＵＥのアンテナ利得は約３〜２０ｄＢｉと考えられる。３ＧＰＰ  Ｒ２−１６２２５１の図３が、ビームフォーミングによる利得補償を示すために図１２として複製されている。
【００６９】
ＳＩＮＲの観点から、鋭いビームフォーミングは、隣接する干渉源、すなわち、ダウンリンクの場合における隣接ｅＮＢ又は隣接ｅＮＢに接続された他のＵＥからの干渉電力を低減する。ＴＸ（送信）ビームフォーミングの場合においては、現在のビームがＲＸ（受信）と同じ方向を指す他のＴＸからの干渉のみが「有効」干渉となる。「有効な」干渉は、干渉電力が実効ノイズ電力よりも高いことを意味する。ＲＸビームフォーミングの場合においては、ビーム方向がＵＥの現在のＲＸビーム方向と同じである他のＴＸからの干渉のみが有効干渉となる。３ＧＰＰ  Ｒ２−１６２２５１の図４が、ビームフォーミングにより弱められた干渉を示すために図１３として複製されている。
【００７０】
掃引サブフレーム  −  ３ＧＰＰ  Ｒ１−１６５３６４は、掃引共通の制御プレーン機能を、掃引サブフレームと呼ばれる特定のサブフレームに集中させることを提案した。掃引サブフレームで送信される共通制御シグナリングは、同期信号（ＤＬ）、基準信号（ＤＬ）、システム情報（ＤＬ）、ランダムアクセスチャネル（ＵＬ）等を含む。３ＧＰＰ  Ｒ１−１６５３６４の図１が、掃引サブフレームの原理を説明するために図１４として複製されている。
【００７１】
ダウンリンク掃引の主な使用事例の１つは、例えば、セルサーチ、時間及び周波数同期取得、必須システム情報シグナリング並びにセル／ビーム測定（例えば、ＲＲＭ（無線リソース管理）測定）のための信号を含むダウンリンクディスカバリシグナリング（downlink  discovery  signalling）である。
【００７２】
ＵＬ（アップリンク）ＰＲＡＣＨ（物理ランダムアクセスチャネル）の場合、高レベルの考えは、ＢＳビームの相反性（reciprocity）を利用し、ＢＳが高アレイ利得を備えたビームを使用して受信しているときにＵＥがＰＲＡＣＨプリアンブルを送信ＵＥに向けて送信できるようにすることである。つまり、ＰＲＡＣＨリソースは、ビーム固有の参照信号を搬送するＤＬ（Ｄｏｗｎｌｉｎｋ）ディスカバリシグナリングを介して定期的にアドバタイズされるＢＳビームに関連する。３ＧＰＰ  Ｒ１−１６５３６４の図２は、ＢＳビームとＰＲＡＣＨリソースとの関連を示すために図１５として複製されている。
【００７３】
初期アクセス  −  ＵＥがパワーオンした後、ＵＥはキャンプオンするセルを見つける必要がある。次いで、ＵＥは、登録及び／又はデータ送信のために、それ自体でネットワークへの接続確立を開始することができる。ネットワークはまた、ＵＥに、例えば、ＤＬデータをＵＥに送信するために、ページングを介してネットワークへの接続確立を開始するように要求することもできる。
【００７４】
例示的な初期アクセスは、以下のステップを有することができる。
−  セルサーチ  −  可能なキャリア周波数がスキャンされてセルを検出する。セルは、ビーム掃引によって、ＵＥがセルを識別するためのシグナリング、例えば、同期信号を提供する。同じセルの異なるＴＲＰは、同じ時間間隔で同じシグナリングを提供する。
−  ブロードキャストされたシステム情報の取得  −  ＵＥは、ブロードキャストされたシステム情報から必要なパラメータ（例えば、セル選択に関連するもの）を取得する。ブロードキャストされたシステム情報は、ビーム掃引によって提供される。
−  セル測定及び選択  −  ＵＥは、キャンプオン可能なセルを見つけた後、セルの無線状態を測定し、その測定結果に基づいてセルにキャンプオンするかどうかを決定するべきである。セルは、ビーム掃引によって測定のためのシグナリング（例えば、基準信号）を提供する。同じセルの異なるＴＲＰは、同じ時間間隔でシグナリングを提供する。
−  ページング  −  ネットワークがＵＥ特有のシグナリング／データを送信することを望み、ＵＥが非接続状態にあるときは、ページングが必要とされることがある。ＵＥがページングを受信するとき、ＵＥは、接続確立を開始して、受信のための接続状態に入るべきである。セルは、ビーム掃引によってページングを提供する。
−  接続確立  −  ＵＥは、接続確立手順を介してＢＳへの接続を確立する。手順の間、ネットワークにＵＥを認識させ、ＵＬ送信のためのリソースをＵＥに提供させるために、ＵＥはランダムアクセス手順を実行する必要がある。
【００７５】
図１６は、初期アクセスのための例示的なフローチャート１６００を示す。
【００７６】
非接続状態でのモビリティ  −  ＵＥがセルにキャンプオンした後、ＵＥは、ＵＥが非接続状態（例えば、アイドルモード）にあるとき、セルの異なるビーム又はＴＲＰ間を移動することができる。あるいは、ＵＥは、セルのカバレッジを離れ、別のセルのカバレッジに移動することができる。
【００７７】
非接続状態にあるＵＥの場合のモビリティの例は、以下のタイプを有することができる。
−  ＵＥビーム変化  −  ＵＥが非接続状態にあるときにＵＥビームフォーミングが使用される場合、ＵＥビームは（例えば、ＵＥの回転により）変化することがある。ＵＥビームの変化によるシグナリングミッシング（signaling  missing）を防止するために、ＵＥはビーム掃引を実行し続けるべきである。
−  同じセル間でのサービングビーム又はサービングＴＲＰの変化  −  ＵＥがキャンプオンしているセルでは、ＵＥは、シグナリングがＵＥによって受信されることができるＴＲＰによってサービスを受けている。サービングＴＲＰのサービングビームは、ＵＥのモビリティにより変化し得る。サービングＴＲＰも、ＵＥがキャンプオンセル内を移動しているときにも変化し得る。ＵＥは、ミッシングシグナリングを回避するために、非接続状態にあるＵＥに必要なシグナリングを提供するサービングＴＲＰの異なるビームに対して可能なすべての時間間隔を監視し続けるべきである。
−  セル再選択  −  ＵＥは、ＵＥがキャンプオンしているサービングセル及びその隣接セルについて測定を継続し、サービングセルを再選択するかどうかを評価する。ＵＥは、隣接セルのシステム情報を取得し、隣接セルがより最適であるとＵＥが判断した場合には、新たなサービングセルとして再選択する。ネットワークから評価のためのパラメータが必要とされる。
【００７８】
セル変化のない接続状態でのモビリティ  −  ＵＥが接続状態にあるとき、ＵＥは同じサービングセルの異なるビーム又はＴＲＰ間を移動することができる。さらに、ＵＥビームフォーミングが使用される場合、ＵＥビームも（例えば、ＵＥの回転により）時間とともに変化することがある。
【００７９】
セル変化のない接続状態でのモビリティの例は、以下のステップを有することができる。
−  変化検出のためのシグナリング  −  ＵＥビーム、サービングＴＲＰのサービングビーム及びサービングＴＲＰの変化が、ＵＥ及び／又はネットワークによって検出されることができる。変化を検出するために、ＴＲＰ又はＵＥによって周期的に送信されるシグナリングが使用されることができる。ＴＲＰは、シグナリングの受信又は送信のために周期的にビーム掃引を実行する。ＵＥビームフォーミングが使用される場合、ＵＥは、シグナリングの受信又は送信のために周期的にビーム掃引を実行する。
−  ＵＥビーム変化  −  ＵＥによって変化が検出された場合、ＵＥ自体は、次の受信（及び、例えばＴＤＤのための送信）のための適切なＵＥビームを選択することができる。あるいは、ＵＥはネットワークにフィードバックを提供する必要があり、ネットワークはネットワークからＵＥへのＵＥビーム変更の指示を提供することができる。変化がネットワークによって検出された場合、ネットワークからＵＥへのＵＥビーム変更の指示が必要とされることがある。ＵＥは、ネットワークによって指示されたＵＥビームを、次の送信（及び、例えば、ＴＤＤの受信）のために使用する。
−  サービングビーム及び／又はサービングＴＲＰの変化  −  ＵＥが変化検出のためのシグナリングを受信した後、ＵＥはネットワークにフィードバックを提供する必要があり、ネットワークは、ＵＥのために（ＤＬ）サービングビーム及び／又はサービングＴＲＰを変更するどうかを決定する。一方、ＴＲＰが変化検出のためのシグナリングを受信した後、ネットワークはＵＥのためのサービングビーム及び／又はサービングＴＲＰを変更するかどうかを決定することができる。
【００８０】
図１７及び図１８は、セル変化のない接続状態でのモビリティの場合の例示的なフローチャート１７００及び１８００である。
【００８１】
セル変化がある接続状態でのモビリティ  −  ＵＥが接続状態にあるとき、ＵＥは、サービングセルのカバレッジを離れ、他のセルのカバレッジに移動することができる。ＵＥは、セル変化の検出を助けるために測定を実行する必要があり得る。ネットワークは、例えば、ハンドオーバを介して、ＵＥのサービングセルの変化を制御することができる。
【００８２】
セル変化がある接続状態でのモビリティの例は、以下のステップを有することができる。
−  測定  −  ＵＥは、サービングセル及びその隣接セルについて測定を行い、測定設定に基づいてより良好なサービングセルを見つける。測定されるシグナリングは、ビーム掃引によって提供されることができる。ＵＥビームフォーミングが使用される場合、ＵＥはシグナリングの受信のためにビーム掃引を実行する。さらに、サービングセルの無線品質は、無線リンク障害を検出するためにＵＥによって監視され続けることができる。
−  測定報告  −  測定結果に基づいて、ＵＥは、サービングＢＳに測定報告を提供する。
−  ハンドオーバ開始  −  測定報告に基づき、サービングＢＳは、サービングＢＳと隣接ＢＳとの間のネゴシエーションに基づいて、隣接ＢＳのターゲットセルにＵＥをハンドオーバすることを決定することができる。次いで、サービングＢＳは、ターゲットセルを示すハンドオーバコマンドをＵＥに送信する。
−  ターゲットセルへのハンドオーバ  −  ＵＥは、進行中のサービスを継続するために、ターゲットセルへの接続を試みる。  ０ｍｓのモビリティ中断（interruption）が必要な場合、ＵＥがターゲットセルに接続しようとするときに、ＵＥとソースセルとの間の接続は維持されることができる。ＵＥがターゲットセルに正常にアクセスした後、接続は解放されることができる。
【００８３】
図１９は、セル変化がある接続状態でのモビリティのための例示的なフローチャート１９００を示す。
【００８４】
測定報告  −  測定報告は、ネットワークがＵＥのためのサービングセルの追加又は修正を決定するのを助けるために使用されることができるため、報告のコンテンツは、ネットワーク（例えば、サービングＢＳ）が、ＵＥのためのサービングセルとして１つ以上を選択するために、異なる隣接セルを比較するのに十分な情報を提供すべきである。
【００８５】
３ＧＰＰ  Ｒ２−１６２０２２６は、ＵＥが、以下の基準のうちの１つを使用して測定報告をトリガできることに言及している。
−  最良のビームのＲＳＲＰ（基準信号受信電力）。
−  Ｎ個のベストビームの平均ＲＳＲＰ。
−  ＲＳＲＰが閾値より大きいビームの平均ＲＳＲＰ。
−  他の基準も考慮に入れられることができる。
【００８６】
一態様では、セルの複数のビームが、ダイバーシティ利得のため、ＵＥとの通信のために使用されることが可能である。次いで、最良のビームのＲＳＲＰ及び特定のビームの平均ＲＳＲＰは、この状況を正確に反映するには不十分である。そして、ＵＥのために複数の適格な（qualified）ビームを備えた隣接セルが過小評価される可能性がある。
【００８７】
例えば、ＵＥはセルＡ及びセルＢを測定し、その測定結果は以下のようである。
−  セルＡ：１つのビームが適格
ビーム１：非常に良好（結果＝Ａ１）
−  セルＢ：３つのビームが適格
ビーム１：良好（結果＝Ｂ１）
ビーム２：良好（結果＝Ｂ２）
ビーム３：良好（結果＝Ｂ３）
−  Ａ１＞Ｂ１＞Ｂ２＞Ｂ３とする。
【００８８】
最良のビームのＲＳＲＰが基準として使用される場合、Ａ１及びＢ１が報告される。報告は、Ａ１＞Ｂ１であるため、セルＡはセルＢよりも良好であることを示す。
【００８９】
Ｎ個のベストビームの平均ＲＳＲＰが基準として使用され、Ｎ＝２である場合、Ａ１（ビーム１のみがセルＡで適格とされるため）と、Ｂ１及びＢ２の平均が報告される。報告は、Ａ１がＢ１及びＢ２の平均よりも良好であるため、セルＡがセルＢよりも良好であることを示す。
【００９０】
ＲＳＲＰが閾値より大きいビームの平均ＲＳＲＰが基準として使用される場合、Ａ１（ビーム１のみがセルＡで適格とされるため）と、Ｂ１、Ｂ２及びＢ３の平均が報告される。報告は、Ａ１がＢ１、Ｂ２及びＢ３の平均よりも良好であるため、セルＡがセルＢよりも良好であることを示す。しかし、ダイバーシティ利得の点では、セルＢを選択することが有益である可能性がある。
【００９１】
上記の概念を実現するために、ＵＥからネットワークへ、以下の情報うちの１つ以上が示されることができる。
−  ＵＥによって検出された隣接セルの適格なビームの数（（オプション）適格なビームについての測定結果の平均）。
−  適格な隣接セルのビーム、例えば、すべて又は特定の数の適格なビームがＵＥによって示される。
−  隣接セルの適格なビームについての測定結果の合計。
【００９２】
上記の例において、ＵＥからネットワークに示される情報は、以下のようになることがある。
−  セルＡ
適格なビームの数（（オプション）適格なビームについての測定結果の平均）：１（（オプション）Ａ１）
適格なビーム：ビーム１
適格なビームの合計：Ａ１
−  セルＢ
適格なビームの数（（オプション）適格なビームについての測定結果の平均）：３（（オプション）｛Ｂ１、Ｂ２、Ｂ３｝の平均）
適格なビーム：ビーム１、ビーム２、ビーム３
適格なビームの合計：Ｂ１＋Ｂ２＋Ｂ３
【００９３】
ネットワークがこのような情報を受信するときは、Ｂ１＋Ｂ２＋Ｂ３＞  Ａ１により、セルＢがセルＡより良好であると決定することができる。
【００９４】
別の態様では、隣接セルは、複数の関連するＴＲＰによって構成されてもよい。隣接セルがＵＥのサービングセルになる場合、隣接セルのいくつかのリソースは、例えば、専用プリアンブル、ＵＬ基準信号ＵＥ等、ハンドオーバを実行するためにＵＥのために予約される必要があることがある。隣接セルのすべてのＴＲＰがＵＥのためにリソースを予約する必要がある場合、非効率的である。
【００９５】
この問題を解決するため、ＵＥは、適格なＴＲＰ又は隣接セルのＴＲＰごとの測定結果をネットワークノードに示すことができる。次に、隣接セルは、ＵＥが接続し得るＴＲＰを予測し、リソースはいくつかのＴＲＰにおいて予約される必要があるだけである。より具体的には、以下の情報のうちの１つ以上がＵＥからネットワークノードに示されることができる。
−  隣接セルの最良のＴＲＰ、例えば、最良のビーム、最良の平均測定結果、又は最良の合計測定結果を備えたＴＲＰ。
−  ＵＥによって検出された隣接セルの適格なＴＲＰの数。
−  適格な隣接セルのＴＲＰ、例えば、すべての又は特定の数のＴＲＰがＵＥによって示される。
−  隣接セルの１つの適格なＴＲＰのＮ個の最良のビームについての測定結果の平均。
−  隣接セルの１つの適格なＴＲＰの適格なビームについての測定結果の平均。
−  隣接セルの１つの適格なＴＲＰの適格なビームについての測定結果の合計。
【００９６】
別の態様では、ＵＥビームフォーミングが可能とされている場合、ＵＥが同時に生成することができるＵＥビームの数が制限されるようにすることが可能であり、例えば、一部のＵＥは一度に複数のＵＥビームを生成できない場合がある。そのような場合、一度にＵＥにサービスすることができるネットワークビームは、例えば、ビーム掃引を使用して、ＵＥによって検出できるものほどではない可能性がある。より具体的には、ＵＥによって検出されたすべての適格なビームが、ＵＥによって実際に使用され得るとは限らないかもしれない。すべての適格なビームを考慮に入れる、例えば、すべての適格なビームを平均することによって測定結果を計算するとは、実際の無線状態を誤って反映してしまう可能性がある。
【００９７】
この問題を解決するために、ＵＥは、ＵＥビームに関して測定結果をネットワークノードに示すことができる。一般に、上述した情報は、ＵＥビームごとに示されることができる。具体的には、以下の情報のうちの１つ以上がＵＥからネットワークノードに示されることができる。
−  ＵＥビーム又は各ＵＥビームの最良のビームについての測定結果。
−  ＵＥビーム又は各ＵＥビームのＮ個のベストビームについての測定結果の平均。
−  測定結果がＵＥビーム又は各ＵＥビームの閾値よりも大きいビームについての測定結果の平均。
−  ＵＥビーム又は各ＵＥビームのための隣接セルの適格なビームの数（（オプション）ＵＥビーム又は各ＵＥビームのための適格なビームについての測定結果の平均）。
−  ＵＥビーム又は各ＵＥビームのための適格な隣接セルのビーム、例えば、すべて又は特定の数の適格なビームがＵＥによって示される。
−  ＵＥビーム又は各ＵＥビームのための隣接セルの適格なビームについての測定結果の合計。
−  ＵＥビーム又は各ＵＥビームのための隣接セルの最良のＴＲＰ、例えば、最良のビーム、最良の平均測定結果、又は最良の合計測定結果を備えたＴＲＰ。
−  ＵＥビーム又は各ＵＥビームの隣接セルの適格なＴＲＰの数。
−  ＵＥビーム又は各ＵＥビームのための適格な隣接セルのＴＲＰ、例えば、すべての又は特定の数の適格なＴＲＰがＵＥによって示される。
−  ＵＥビーム又は各ＵＥビームのための隣接セルの１つの適格なＴＲＰのＮ個の最良のビームについての測定結果の平均。
−  ＵＥビーム又は各ＵＥビームのための隣接セルの１つの適格なＴＲＰの適格なビームについての測定結果の平均。
−  ＵＥビーム又は各ＵＥビームのための隣接セルの１つの適格なＴＲＰの適格なビームについての測定結果の合計。
【００９８】
ＵＥビームに関する上記の情報は、ＵＥビームによって測定又は検出された情報とすることができる。測定された結果又は情報は、ＲＳＲＰ（基準シンボル受信電力）、ＲＳＲＱ（基準信号受信品質）、ＢＥＲ（ブロック誤り率）等に関連することができる。
【００９９】
隣接セルのビームがＵＥに対して適格であるかどうかは、ビームについての測定結果と関連する閾値に基づくことができる。例えば、ビームについての測定結果が関連する閾値より良好である場合、ビームは適格であるとみなされる。関連する閾値は、事前に定義される、ネットワークノードによって設定される、及び／又はシステム情報内に提供されることができる。適格なビームは、そのビームアイデンティティ（identity）によって表わされることができる。
【０１００】
隣接セルのＴＲＰがＵＥに対して適格であるかどうかは、ＴＲＰの計算された測定結果及び関連する閾値に基づくことができる。例えば、ＴＲＰの計算された測定結果が関連する閾値より良好である場合、ＴＲＰは適格であるとみなされる。関連する閾値は、事前に定義される、ネットワークノードによって設定される、及び／又はシステム情報内に提供されることができる。計算された測定結果は、ＴＲＰのＮ個の最良のビームについての測定結果の平均、ＴＲＰの適格なビームについての測定結果の平均又はＴＲＰの適格なビームについての測定結果の合計とすることができる。適格なＴＲＰはそのＴＲＰアイデンティティによって表されることができる。
【０１０１】
測定結果の合計を導出するためのビームの数は、第１の閾値によって制限されることができる。第１の閾値は、隣接セルのＴＲＰによって同時に生成されるビームの最大数に基づいて設定されることができる。
【０１０２】
上記の情報は、ＲＲＣメッセージ、ＭＡＣ制御シグナリング、又は物理レイヤシグナリング、例えば、測定報告又はＣＱＩ（チャネル品質インジケータ）によって示すことができる。上記の情報の一部又はすべてが排他的に示されることなく、一緒に示されることができる。ＵＥが測定する信号は、同期信号、基準信号及び／又はディスカバリ信号の１つ以上を含むことができる。
【０１０３】
セルサーチを容易にするために、ダウンリンクで同期信号が送信される。同期信号は、一次同期信号及び二次同期信号を含むことができる。基準信号は、ダウンリンク電力のための基準ポイント（reference  point）を搬送するためにダウンリンクで送信される。基準信号は、セル固有の基準信号、ＭＢＳＦＮ（マルチキャストブロードキャスト単一周波数ネットワーク）基準信号、ＵＥ固有の基準信号、測位基準信号、ＣＳＩ基準信号及び／又はディスカバリ信号を含むことができる。
【０１０４】
ＵＥは、セル固有の基準信号、一次及び二次同期信号、並びに設定可能なＣＳＩ（チャネル状態情報）基準信号からなるディスカバリ信号の存在を前提とすることができる。
【０１０５】
セル選択／セル再選択  −  ＵＥが接続状態にあるときに、セル内の１つ以上のＴＲＰの複数のビームが、ダイバーシティ利得のためにＵＥとの通信のために使用されることが可能である。最良のビームのみが考慮される場合、ＵＥのための複数の適格なビームを備えたセルが過小評価される可能性がある。
【０１０６】
例えば、ＵＥは、セルＡ及びセルＢを測定し、その測定結果は以下のようである。
−  セルＡ：１つのビームが適格
ビーム１：非常に良好（結果＝Ａ１）
−  セルＢ：３つのビームが適格
ビーム１：良好（結果＝Ｂ１）
ビーム２：良好（結果＝Ｂ２）
ビーム３：良好（結果＝Ｂ３）
【０１０７】
最良のビームのみが考慮される場合、Ａ１はＢ１よりも大きいため、セルＡはセルＢより良好であるとみなされる。しかし、ダイバーシティ利得の点では、セルＢを選択することが有益である可能性がある。
【０１０８】
この問題を解決するために、以下の情報のうちの１つ以上がＵＥによって考慮されて、セル選択又は再選択のためのセルの品質を評価することができる。
−  ＵＥによって検出されたセルの適格なビームの数。
−  ＵＥによって検出されたセルの１つの適格な（最良の）ＴＲＰの適格なビームの数。
−  ＵＥによって検出されたセルの適格なＴＲＰの数。
−  セルの１つの適格な（最良の）ＴＲＰのＮ個の最良のビームについての測定結果の平均。
−  セルの１つの適格な（最良の）ＴＲＰの適格なビームについての測定結果の平均。
−  セルの適格なビームについての測定結果の合計。
−  セルの１つの適格な（最良の）ＴＲＰの適格なビームについての測定結果の合計。
【０１０９】
上記の例において、上記の情報が考慮される場合、結果は以下のようになることがある。
−  セルＡ
適格なビームの数：１
適格なビーム：ビーム１
適格なビームの合計：Ａ１
−  セルＢ
適格なビーム数：３
適格なビーム：ビーム１、ビーム２、ビーム３
適格なビームの合計：Ｂ１＋Ｂ２＋Ｂ３
【０１１０】
そして、ＵＥは、結果、例えば、適格なビームの合計（Ｂ１＋Ｂ２＋Ｂ３＞Ａ１）に基づいて、セルＢがセルＡよりも良好であるとみなすことができる。
【０１１１】
さらに、ＵＥビームフォーミングが可能とされている場合、ＵＥが同時に生成することができるＵＥビームの数が制限されるようにすることが可能であり、例えば、一部のＵＥは一度に複数のＵＥビームを生成できない場合がある。そのような場合、おそらく、ＵＥによって検出されたすべての適格なビームが、ＵＥによって実際に使用され得るとは限らないかもしれない。すべての適格なビームを考慮に入れる、例えば、すべての適格なビームを平均することによって測定結果を計算すると、実際の無線状態を誤って反映してしまう可能性がある。
【０１１２】
この問題を解決するために、ＵＥは、セル選択又は再選択のための品質を評価するために、ＵＥビームごとに上述した情報を考慮することができる。具体的には、以下の情報のうちの１つ以上が考慮されることができる。
−  ＵＥビーム又は各ＵＥビームのためのセルの適格なビームの数。
−  ＵＥビーム又は各ＵＥビームのためのセルの１つの適格な（最良の）ＴＲＰの適格なビームの数。
−  ＵＥビーム又は各ＵＥビームのためのセルの適格なＴＲＰの数。
−  ＵＥビーム又は各ＵＥビームのためのセルの１つの適格な（最良の）ＴＲＰのＮ個の最良のビームについての測定結果の平均。
−  ＵＥビーム又は各ＵＥビームのためのセルの１つの適格な（最良の）ＴＲＰの適格なビームについての測定結果の平均。
−  ＵＥビーム又は各ＵＥビームのためのセルの適格なビームについての測定結果の合計。
−  ＵＥビーム又は各ＵＥビームのためのセルの１つの適格な（最良の）ＴＲＰの適格なビームについての測定結果の合計。
【０１１３】
ＵＥビームに関する上記の情報は、ＵＥビームによって測定又は検出された情報とすることができる。測定された結果又は情報は、ＲＳＲＰ（基準シンボル受信電力）、ＲＳＲＱ（基準信号受信品質）、ＢＥＲ（ブロック誤り率）等に関連することができる。
【０１１４】
セルのビームがＵＥに対して適格であるかどうかは、ビームについての測定結果及び関連する閾値に基づくことができる。例えば、ビームについての測定結果が関連する閾値より良好である場合、ビームは適格であるとみなされる。関連する閾値は、事前に定義される、ネットワークノードによって設定される、及び／又はシステム情報内に提供されることができる。適格なビームは、そのビームアイデンティティによって表わされることができる。
【０１１５】
セルのＴＲＰがＵＥに対して適格であるかどうかは、ＴＲＰの計算された測定結果及び関連する閾値に基づくことができる。例えば、ＴＲＰの計算された測定結果が関連する閾値より良好である場合、ＴＲＰは適格であるとみなされる。関連する閾値は、事前に定義される、ネットワークノードによって設定される、及び／又はシステム情報内に提供されることができる。計算された測定結果は、ＴＲＰのＮ個の最良のビームについての測定結果の平均、ＴＲＰの適格なビームについての測定結果の平均又はＴＲＰの適格なビームについての測定結果の合計とすることができる。適格なＴＲＰは、そのＴＲＰアイデンティティによって表されることができる。
【０１１６】
測定結果の合計を導出するためのビームの数は、第１の閾値によって制限されることができる。第１の閾値は、隣接セルのＴＲＰによって同時に生成されるビームの最大数に基づいて設定されることができる。
【０１１７】
ＵＥが測定する信号は、同期信号、基準信号及び／又はディスカバリ信号の１つ以上を含むことができる。同期信号は、セルサーチを容易にするためにダウンリンクで送信される。同期信号は、一次同期信号及び二次同期信号を含むことができる。基準信号は、ダウンリンク電力のための基準ポイントを搬送するためにダウンリンクで送信される。基準信号は、セル固有の基準信号、ＭＢＳＦＮ基準信号、ＵＥ固有の基準信号、測位基準信号、ＣＳＩ基準信号及び／又はディスカバリ信号を含むことができる。
【０１１８】
ＵＥは、セル固有の基準信号、一次及び二次同期信号、並びに設定可能なＣＳＩ基準信号からなるディスカバリ信号の存在を前提とすることができる。
【０１１９】
図２０は、１つの例示的な実施形態による、ＵＥの観点からのフローチャート２０００である。ステップ２００５において、ＵＥは、セルの信号を測定し、ビームフォーミングに関する情報を得る。ステップ２０１０において、ＵＥは、その情報をネットワークノードに提供する。ここで、その情報は、セルの適格なビームについての測定結果の平均又は合計を少なくとも含み、平均又は合計を導出するための適格なビームの数は、第１の閾値によって制限される。
【０１２０】
図３及び図４に戻って参照すると、ＵＥの１つの例示的な実施形態では、デバイス３００は、メモリ３１０に記憶されたプログラムコード３１２を含む。ＣＰＵ３０８は、プログラムコード３１２を実行して、ＵＥが（ｉ）ビームフォーミングに関する情報を導出するためにセルの信号を測定し、（ｉｉ）その情報をネットワークに提供することを可能にする。ここで、その情報は、セルのある数の適格なビームについての測定結果の平均又は合計を少なくとも含み、平均又は合計を導出するための適格なビームの数は、第１の閾値によって制限される。さらに、ＣＰＵ３０８は、上記に説明した活動及びステップのすべて又は本明細書で説明した他のことを実行するように、プログラムコード３１２を実行することができる。
【０１２１】
図２１は、１つの例示的な実施形態による、ＵＥの観点からのフローチャート２１００である。ステップ２１０５において、ＵＥはセルの信号を測定し、セルのＴＲＰに関する情報を得る。ステップ２１１０において、ＵＥは、その情報をネットワークノードに提供する。ここで、その情報は、セルの適格なＴＲＰのある数の適格なビームについての測定結果の平均又は合計を少なくとも含むことができる。平均又は合計を導出するための適格なビームの数は、第１の閾値によって制限されるようにすることができる。
【０１２２】
図３及び図４に戻って参照すると、ＵＥの１つの例示的な実施形態では、デバイス３００は、メモリ３１０に記憶されたプログラムコード３１２を含む。ＣＰＵ３０８は、プログラムコード３１２を実行して、ＵＥが（ｉ）セルのＴＲＰに関する情報を導出するためにセルの信号を測定し、（ｉｉ）その情報をネットワークノードに提供することを可能にする。ここで、その情報は、セルの適格なＴＲＰのある数の適格なビームについての測定結果の平均又は合計を少なくとも含み、平均又は合計を導出するための適格なビームの数は、第１の閾値によって制限される。さらに、ＣＰＵ３０８は、上記に説明した活動及びステップのすべて又は本明細書で説明した他のことを実行するように、プログラムコード３１２を実行することができる。
【０１２３】
図２２は、１つの例示的な実施形態による、ＵＥの観点からのフローチャート２２００である。ステップ２２０５で、ＵＥは、セルの信号を測定し、ビームフォーミングに関する情報を得る。ステップ２２１０において、ＵＥは、少なくともその情報に基づいてキャンプオンするセルを選択又は再選択するかどうかを決定する。ここで、その情報は、セルの適格なビームの数に関する測定結果の平均又は合計を少なくとも含み、平均又は合計を導出する適格なビームの数は、第１の閾値によって制限される。
【０１２４】
図３及び図４に戻って参照すると、ＵＥの１つの例示的な実施形態では、デバイス３００は、メモリ３１０に記憶されたプログラムコード３１２を含む。ＣＰＵ３０８は、プログラムコード３１２を実行して、ＵＥが（ｉ）ビームフォーミングに関する情報を導出するためにセルの信号を測定し、（ｉｉ）少なくともその情報に基づいてキャンプオンするセルを選択又は再選択するかどうかを決定することを可能にする。ここで、その情報は、セルのある数の適格なビームの数の測定結果の平均又は合計を少なくとも含み、平均又は合計を導出するための適格なビームの数は、第１の閾値によって制限される。さらに、ＣＰＵ３０８は、上記に説明した活動及びステップのすべて又は本明細書で説明した他のことを実行するように、プログラムコード３１２を実行することができる。
【０１２５】
図２３は、１つの例示的な実施形態による、ＵＥの観点からのフローチャート２３００である。ステップ２３０５において、ＵＥはセルの信号を測定し、セルのＴＲＰに関する情報を得る。ステップ２３１０において、ＵＥは、少なくともその情報に基づいてキャンプオンするセルを選択又は再選択するかどうかを決定する。その情報は、セルの適格なＴＲＰのある数の適格なビームについての測定結果の平均又は合計を少なくとも含むことができる。平均又は合計を導出するための適格なビームの数は、第１の閾値によって制限されるようにすることができる。
【０１２６】
図３及び図４に戻って参照すると、ＵＥの１つの例示的な実施形態では、デバイス３００は、メモリ３１０に記憶されたプログラムコード３１２を含む。ＣＰＵ３０８は、プログラムコード３１２を実行して、ＵＥが（ｉ）セルのＴＲＰに関する情報を導出するためにセルの信号を測定し、（ｉｉ）少なくともその情報に基づいてキャンプオンするセルを選択又は再選択することを可能にする。その情報は、セルの適格なＴＲＰのある数の適格なビームについての測定結果の平均又は合計を少なくとも含むことができる。平均又は合計を導出するための適格なビームの数は、第１の閾値によって制限されるようにすることができる。さらに、ＣＰＵ３０８は、上記に説明した活動及びステップのすべて又は本明細書で説明した他のことを実行するように、プログラムコード３１２を実行することができる。
【０１２７】
図２０、図２１、図２２及び図２３に開示され、上記に論じた実施形態において、一実施形態では、信号は、ビームフォーミングを使用してセル又はセルのＴＲＰによって送信されることができる。ＴＲＰは、セルのカバレッジを提供する送受信ポイントとすることができる。
【０１２８】
一実施形態において、ビームについての測定結果が第２の閾値より良好である場合、ビームは適格であるとすることができる。ビームがＵＥに対して適格であるかどうかは、ビームについての測定結果に基づく。
【０１２９】
一実施形態において、ＴＲＰがＵＥに対して適格であるかどうかは、ＴＲＰの計算された測定結果に基づく。例えば、ＴＲＰの計算された測定結果が関連する閾値よりも良好である場合、ＴＲＰは適格であるとすることができる。計算された測定結果は、ＴＲＰの最良のＮ個のビームについての測定結果の平均、ＴＲＰの適格なビームについての測定結果の平均、又はＴＲＰの適格なビームについての測定結果の合計とすることができる。
【０１３０】
関連する閾値は、（ｉ）セルのＴＲＰによって同時に生成されたビームの最大数に基づく、（ｉｉ）事前に定義される、（ｉｉｉ）ネットワークノードによって設定される、又は（ｉｖ）システム情報内に提供されることができる。
【０１３１】
さらに、ビームフォーミングに関する情報は、ＵＥビームに関して提供又は考慮されることができる。その情報は、少なくとも測定の測定結果に基づいて導き出されることができる。
【０１３２】
一実施形態においては、その情報は、（１）セルの適格なビームの数、（２）セルの適格なビーム（例えば、ＵＥによって検出されたすべての適格なビーム）、（３）特定の数までのセルの適格なビーム（例えば、最良のＮ個の適格なビーム）（４）セルの最良のＴＲＰ、（５）セルの適格なＴＲＰの数、（６）セルの適格なＴＲＰ（例えば、ＵＥによって検出されたすべての適格なＴＲＰ）、（７）特定の数までのセルの適格なＴＲＰ（例えば、最良のＮ個の適格なＴＲＰ）、（８）セルの適格なＴＲＰの最良のＮ個のビームについての測定結果の平均（例えば、Ｎが適格なＴＲＰの適格なビームの数よりも少ない場合）、（９）セルの適格なＴＲＰの最良のＮ個のビームについての測定結果の合計（例えば、Ｎが適格なＴＲＰの適格なビームの数よりも少ない場合）及び／又は（１０）セルの適格なＴＲＰの適格なビームの数を含むことができる。一実施形態においては、最良のＴＲＰは、最良のビームを備えたＴＲＰ、最良の平均測定結果を備えたＴＲＰ又は最良の合計測定結果を備えたＴＲＰを含むことができる。適格なビームは、ビームアイデンティティによって表わされることができる。また、適格なＴＲＰは、ＴＲＰアイデンティティによって表されることができる。セルは、ＵＥの隣接セルとすることができる。
【０１３３】
一実施形態では、信号は、少なくとも同期信号、基準信号及び／又はディスカバリ信号を少なくとも含む。同期信号は、セルサーチを容易にするためにダウンリンクで送信されることができる。同期信号は、一次同期信号及び／又は二次同期信号を含むことができる。基準信号は、ダウンリンク電力のための基準ポイントを搬送するためにダウンリンクで送信されることができる。基準信号は、（ｉ）セル固有の基準信号、（ｉｉ）ＭＢＳＦＮ基準信号、（ｉｉｉ）ＵＥ専用の基準信号、（ｉｖ）測位基準信号、（ｖ）ＣＳＩ基準信号、（ｖｉ）ディスカバリ信号及び／又は（ｖｉｉ）ビーム固有の基準信号を含むことができる。
【０１３４】
一実施形態においては、測定結果又は情報は、ＲＳＲＰ、ＲＳＲＱ又はＢＥＲによって表わされることができる。こその情報は、ＲＲＣメッセージ、ＭＡＣ制御シグナリング、物理レイヤシグナリング、測定報告又はＣＱＩ報告によって提供されることができる。
【０１３５】
一実施形態においては、情報はＵＥビーム固有とすることができる。その情報は、固有のＵＥビームごとで提供又は考慮されることができる。その情報は、ＵＥビームに関して提供又は考慮されることができる。
【０１３６】
一実施形態においては、ネットワークノードは、中央ユニット（ＣＵ）、分散ユニット（ＤＵ）、送信／受信ポイント（ＴＲＰ）、基地局（ＢＳ）又は５Ｇノードとすることができる。ＵＥは、アイドルモード又は接続モードにあることができる。セルは、複数のＴＲＰを含むことができる。
【０１３７】
一実施形態においては、ＵＥは、セル選択中にキャンプオンするセルを選択するかどうかを決定することができる。ＵＥは、セル再選択中にキャンプオンするセルを再選択するかどうかを決定することができる。ＵＥは、一度に複数のＵＥビームを生成することはできない。
【０１３８】
本開示の様々な態様を上記に説明した。本明細書における教示は、広範なさまざまな形式で具体化されることができ、本明細書に開示されている特定の構造、機能、又はその両方は、単に代表的なものであることは明らかなはずである。本明細書の教示に基づいて、当業者であれば、本明細書に開示された態様が任意の他の態様とは独立して実施されることができ、これらの態様の２つ以上がさまざまな方法で組み合わせられることができることを理解するはずである。例えば、本明細書に記載の任意の数の態様を使用して、装置が実装される、又は方法が実施されることができる。さらに、本明細書に記載の態様の１つ以上のものに加えて、又はそれらとは異なる他の構造、機能、又は構造及び機能を使用して、そのような装置が実装される、又はそのような方法が実施されることができる。上記概念のいくつかの例として、いくつかの態様では、パルス繰り返し周波数に基づいて同時チャネルが確立されることができる。いくつかの態様では、パルス位置又はオフセットに基づいて同時チャネルが確立されることができる。いくつかの態様では、時間ホッピングシーケンス（time  hopping  sequences）に基づいて同時チャネルが確立されることができる。いくつかの態様では、パルス繰り返し周波数、パルス位置又はオフセット、及び時間ホッピングシーケンスに基づいて、同時チャネルが確立されることができる。
【０１３９】
当業者であれば、情報及び信号は、さまざまな異なる技術及び技巧のいずれかを使用して表わされることができることを理解するものである。例えば、上記の説明を通して参照され得るデータ、命令、コマンド、情報、信号、ビット、シンボル及びチップは、電圧、電流、電磁波、磁場若しくは粒子、光学フィールド若しくは粒子、又はそれらの任意の組み合わせによって表されることができる。
【０１４０】
当業者であれば、本明細書で開示される態様に関連して説明したさまざまな例示的な論理ブロック、モジュール、プロセッサ、手段、回路及びアルゴリズムステップは、電子ハードウェア（例えば、ソースコーディング若しくはいくつかの他の技巧を使用して設計され得る、デジタル実装、アナログ実装又は、それら２つの組み合わせ）、命令を含有する様々な形式のプログラム若しくは設計コード（本明細書では、便宜上、「ソフトウェア」又は「ソフトウェアモジュール」と称されることがある）又はそれら両方の組み合わせとして実装され得ることを理解するものである。ハードウェアとソフトウェアとのこの互換性を明確に説明するために、様々な例示的なコンポーネント、ブロック、モジュール、回路及びステップを、それらの機能性の点から一般的に上記に説明している。そのような機能性がハードウェア又はソフトウェアとして実装されるかどうかは、特定のアプリケーション及びシステム全体に課される設計制約に依存する。当業者は、特定のアプリケーションごとに様々な方法で、説明した機能を実装することができるが、そのような実装の決定は、本開示の範囲から逸脱させるものと解釈されるべきではない。
【０１４１】
さらに、本明細書で開示された態様に関連して説明した様々な例示的な論理ブロック、モジュール、及び回路は、集積回路（「ＩＣ」）、アクセス端末又はアクセスポイント内で実施される、又はそれらによって実行され得る。ＩＣは、本明細書で説明した機能を実行するように設計された、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタロジック、ディスクリートハードウェアコンポーネント、電気部品、光学部品、機械部品又はそれらの任意の組み合わせを含むことができ、ＩＣの内部、ＩＣの外部又はその両方に存在するコード又は命令を実行することができる。汎用プロセッサはマイクロプロセッサとすることができるが、代替として、プロセッサは、任意の従来のプロセッサ、コントローラ、マイクロコントローラ又はステートマシンとすることができる。また、プロセッサは、コンピューティングデバイスの組み合わせ、例えば、ＤＳＰとマイクロプロセッサとの組み合わせ、複数のマイクロプロセッサ、ＤＳＰコアと組み合わせた１つ以上のマイクロプロセッサ、又は他の任意のそのような構成として実現されることができる。
【０１４２】
任意の開示されたプロセスにおけるステップのあらゆる特定の順序又は階層は、サンプルのアプローチの例であることが理解される。設計嗜好に基づいて、本開示の範囲内にとどまりながら、プロセスにおけるステップの特定の順序又は階層は再構成されることができることが理解される。添付の方法の請求項は、サンプルの順序におけるさまざまなステップの要素を提示し、提示した特定の順序又は階層に限定されることを意味されていない。
【０１４３】
本明細書に開示された態様に関連して説明した方法又はアルゴリズムのステップは、ハードウェア、プロセッサによって実行されるソフトウェアモジュール、又はそれら２つの組み合わせで直接的に具体化されることができる。ソフトウェアモジュール（例えば、実行可能な命令及び関連データを含む）及び他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は本技術分野で知られている任意の他の形式のコンピュータ読み取り可能記憶媒体等のデータメモリに存在することができる。サンプルの記憶媒体は、例えば、コンピュータ／プロセッサ（本明細書では、便宜上「プロセッサ」と称されることがある）などの機械に結合されることができ、そのようなプロセッサは、情報（例えばコード）を記憶媒体から読み出し、情報を記憶媒体に書き込むことができる。サンプルの記憶媒体は、プロセッサに一体化することができる。プロセッサ及び記憶媒体は、ＡＳＩＣ内に存在することができる。ＡＳＩＣは、ユーザ機器内に存在することができる。あるいは、プロセッサ及び記憶媒体は、ユーザ機器内のディスクリートコンポーネントとして存在することができる。さらに、いくつかの態様においては、任意の適切なコンピュータプログラム製品は、本開示の１つ以上の態様に関するコードを含むコンピュータ読み取り可能媒体を含むことができる。いくつかの態様では、コンピュータプログラム製品は、包装材料を含むことができる。
【０１４４】
本発明を様々な態様に関連して説明したが、本発明はさらなる修正が可能であることが理解されるものである。この出願は、一般に、本発明の原理に従う本発明のあらゆる変形、使用又は適合をカバーするものであり、本発明が関係する技術分野において、既知の慣用的な実施の範囲内となるような本開示からの逸脱したものを含む。
【図１】
2018007248.tif 000008
【図２】
2018007248.tif 000009
【図３】
2018007248.tif 000010
【図４】
2018007248.tif 000011
【図５】
2018007248.tif 000012
【図６】
2018007248.tif 000013
【図７】
2018007248.tif 000014
【図８】
2018007248.tif 000015
【図９】
2018007248.tif 000016
【図１０】
2018007248.tif 000017
【図１１】
2018007248.tif 000018
【図１２】
2018007248.tif 000019
【図１３】
2018007248.tif 000020
【図１４】
2018007248.tif 000021
【図１５】
2018007248.tif 000022
【図１６】
2018007248.tif 000023
【図１７】
2018007248.tif 000024
【図１８】
2018007248.tif 000025
【図１９】
2018007248.tif 000026
【図２０】
2018007248.tif 000027
【図２１】
2018007248.tif 000028
【図２２】
2018007248.tif 000029
【図２３】
2018007248.tif 000030
【外国語明細書】
2018007248000001.pdf